(57)【要約】      （修正有）【課題】固定位置に比較的大きな自由度を持ち、また装着した状態で頭部を傷つけたりする恐れがなく、またさらに装着感が良く、装着後に位置ズレが生じにくい頭髪整形補助具を提供する。【解決手段】上方に折曲または弯曲しながら伸長する上板１１と、この上板１１の伸長方向両端付近の裏面同士を亘る下板１２と、下板１２からその亘り方向に対して共通する片側の一側方にのみ延伸した複数本の櫛歯２１と、上板１１の表面に形成され、頭髪に交絡しうる交絡部３を具備する。各櫛歯２１は弾性材で構成されると共に所定の延伸方向位置に拡幅部２１２が形成される。一側方側へ突出した複数の櫛歯２１が髪内に差し込まれ、隣り合う櫛歯２１の拡幅部２１２同士が近接することで髪止め機能を果たす。【選択図】図１
0003157983.tif 000002
【実用新案登録請求の範囲】
【請求項１】
上方に折曲または弯曲しながら伸長する上板（１１）と、この上板（１１）の伸長方向両端付近の裏面同士を亘る下板（１２）と、この下板（１２）から下板（１２）の亘り方向に対して共通する片側の一側方にのみ延伸した複数本の櫛歯（２１）と、前記上板（１１）の表面に伸長方向全体にわたって形成された、頭髪に交絡しうる交絡部（３）と、を具備してなり、
櫛歯（２１）は、等間隔に配列した弾性材で構成されると共に、共通する所定の延伸方向位置で拡幅させた拡幅部（２１２）が形成され、櫛歯（２１）が前記一側方に沿って髪内に揃って差し込まれ、隣り合う櫛歯（２１）の拡幅部（２１２）同士が近接することで髪止め機能を果たしうることを特徴とする頭髪整形補助具。
【請求項２】
上板（１１）の表面は、各伸長位置において幅方向両側部よりも幅方向中央部が上方へ膨出して形成された請求項１記載の頭髪整形補助具。
【請求項３】
上板（１１）は、伸長方向両端側の板幅（１ｗ）が伸長方向中央側の板幅（１ｗ）よりも小さく形成された請求項１または２記載の頭髪整形補助具。
【請求項４】
拡幅部（２１２）には、櫛歯（２１）の延伸方向に長い扁平形状の扁平孔（２ｈ）が設けられた請求項１、２または３記載の頭髪整形補助具。
【請求項５】
交絡部（３）は、上板（１１）の表面の少なくとも伸長方向に沿って離間配列された、複数本の上方突出部からなる請求項１乃至４のいずれか記載の頭髪整形補助具。
【考案の詳細な説明】
【技術分野】
【０００１】
本考案は頭髪を嵩上げ整形するために頭髪内に差し込んで使用する頭髪整形補助具に関する。
【背景技術】
【０００２】
従来の頭髪整形補助具として、両端部分で連結された大小二つの円弧により、頭髪を嵩上げするために離間させてなる本体部と、当該本体部の上面並びに下面にそれぞれ本体部と一体に合成樹脂で形成された頭髪保持用空間を空けた状態で突出形成させるとともに、下面の頭髪保持部は本体部の下面の円弧上の前端縁部分から前方及び後方へ所定長さの櫛歯を延出し、その先端部分を下方に折り曲げて差し込み部を形成したものが開示される（例えば特許文献１参照）。この頭髪整形補助具は、頭部方向に折れ曲がって形成された本体部下部の差し込み部を頭髪内へ差し込んで固定するものである。また、本体部の連結した２つの円弧で形成される空間の中間部分には複数本の縦リブと横リブが形成されている。
【先行技術文献】
【特許文献】
【０００３】
【特許文献１】実用新案登録第３１５２６４９号公報
【考案の概要】
【考案が解決しようとする課題】
【０００４】
上記従来の頭髪整形補助具は、櫛歯が前後に延出しているため、装着の際に持ち上げた頭髪の根元まで差し込みにくく、固定位置が制限されてしまうという問題があった。
【０００５】
また上記従来の頭髪整形補助具は、頭部方向に折れ曲がった差し込み部を頭髪内へ差し込んで固定するだけであるから、髪の量によっては差し込み後に位置ズレが生じやすく、また、頭上への落下物等によって差し込み部が頭に刺さったり頭皮を傷つけたりする恐れがあった。
【０００６】
また本体部の中間部分の縦リブと横リブによって重量がかさむため、装着感が良好とはいえず、また装着後に下方へ位置ズレする場合があった。
【０００７】
そこで本考案は、固定位置に比較的大きな自由度を持ち、また装着した状態で頭部を傷つけたりする恐れがなく、またさらに装着感が良く、装着後に位置ズレが生じにくい頭髪整形補助具を提供することを課題とする。
【課題を解決するための手段】
【０００８】
上記課題を解決すべく本考案では下記（１）〜（５）の手段を講じている。
【０００９】
（１）本考案の頭髪整形補助具は、
上方に折曲または弯曲しながら伸長する上板（１１）と、
この上板（１１）の伸長方向両端付近の裏面同士を亘る下板（１２）と、
前記下板（１２）からその亘り方向に対して共通する片側の一側方にのみ延伸した複数本の櫛歯（２１）と、
前記上板（１１）の表面に伸長方向全体にわたって形成された、頭髪に交絡しうる交絡部（３）と、を具備してなり、
櫛歯（２１）は、等間隔に配列した弾性材で構成されるとともに、共通する所定の延伸方向位置で拡幅させた拡幅部（２１２）が形成され、
櫛歯（２１）が前記一側方に沿って髪内に揃って差し込まれ、隣り合う櫛歯（２１）の拡幅部（２１２）同士が近接することで髪止め機能を果たしうることを特徴とする。
【００１０】
櫛歯２１が、下板１２の亘り方向に対して一側方である片側にのみ延伸し、反対側である他側方へは延伸していないことで、櫛歯２１による差し込み方向と反対方向へ不要な突出部が形成されることがない。これにより、例えば図９ａのように、櫛歯２１の延伸方向を下方あるいは後方に向けて装着する場合に、束ねて持ち上げた上髪の根元により近い位置から差し込むことが可能となる。逆に反対方向へも櫛歯等の突出部があった時は、当該突出部のために差し込み位置がより下方あるいは後方にずれて、嵩上げ部分が持ち上げた髪束よりも後方寄りの位置となってしまう。また例えば図８ａのように、櫛歯２１の延伸方向を前方に向けて装着する場合にも、反対方向すなわち後方への突出部がないため、束ねて持ち上げた上髪をかぶせることによって本頭髪整形補助具の隠蔽性が向上し、後方への突出による後方突出の露出を気にする必要がなく、さらに装着位置よりも後側における頭髪の整形の自由度がより高いものとなる。
【００１１】
また一方向の櫛歯２１と各櫛歯２１の拡幅部２１２による髪止め機能は、各櫛歯の幅方向（延伸方向と直交する方向）の弾性反力を利用することで、より強固に髪止めを行うことができると共に、髪止め状態への移行あるいは解除が容易である。これにより装着位置の自由度が高いものとなり、例えば図８ｃに示すような頭頂部だけでなく、図９ｂに示すような後頭部寄りの位置にも装着することが可能となった。これは櫛歯２１だけのシンプルな構造であり、従来の頭髪整形具として開示される髪定着具（例えば、先端が下方に折れ曲がった櫛歯や髪交絡用の面ファスナー、あるいは挟みクリップといったもの）とは髪への定着方法が根本的に異なり、軽量で耐久性に優れたものとすることが可能である。
【００１２】
（２）前記上板（１１）の表面は、各伸長位置において幅方向両側部よりも幅方向中央部が上方へ膨出して形成されることが好ましい。さらに上板（１１）の各伸長位置の横断面視において、前記幅方向両側部は表面と側面の角部が面取りされることが好ましい。これにより装着時に束ねて持ち上げた上部の髪束を板幅方向の自然な湾曲縁に沿って確実に盛り上げることができる。また面取りされた幅方向の角部は、上部の髪束によって容易に覆い隠されるため、頭髪成形後に頭髪整形補助具が外部へ露出しにくく、体裁のよい頭髪整形が可能となる。後述する実施例では、伸長方向の横断面視にて上面から側面まで滑らかに連なる曲線縁で構成され（図３）、上面から両側面にかけて折曲縁からなる角部を有していない。
【００１３】
（３）前記上板（１１）は、伸長方向両端側の板幅（１ｗ）が伸長方向中央側の板幅（１ｗ）よりも小さく形成されることが好ましい。これにより上板１１は上部の髪束によって容易に覆い隠されるため、頭髪成形後に頭髪整形補助具が外部へ露出しにくく、体裁のよい頭髪整形が可能となる。
【００１４】
（４）前記拡幅部（２１２）には、櫛歯（２１）の延伸方向に長い扁平形状の扁平孔（２ｈ）が設けられることが好ましく、さらに櫛歯（２１）の拡幅部（２１２）よりも先側が先尖形状からなることが好ましい。長い扁平形状の扁平孔２ｈによって拡幅部２１２における弾性機能及びある程度の強度を確保している。先側が先尖形状からなることで、頭髪内深くまで確実に差し込むことが可能となっている。
【００１５】
（５）前記交絡部（３）は、上板（１１）の表面の少なくとも伸長方向に沿って離間配列された、複数本の上方突出部からなることが好ましい。さらに上方突出部は、後述の実施例１のように上方へ向かって縮径する（図３）か、あるいは後述の実施例２のように、等径のまま先端のみがすぼまる（図７）ものであり、上方へ向かって拡径部分を有さないことが好ましい。
【００１６】
拡径部分を有さない上方突出部の離間配列により、装着時に持ち上げた上側の髪束を差し込むだけで確実に上板１１側へ交絡させると共に、上側の髪束の整形形状の保持が容易となる。また上側の髪束への上方の差し込み方向は、櫛歯２１の前または後側方の差し込み方向と直交するため、装着後にそれぞれの定着効果が他方の定着効果の低下を防止することができる。なお後述の実施例１では周囲４辺のうち、伸長方向に沿う前側部及び後側部の２つの湾曲辺の近傍にて、同辺に沿う対称形状に離間配列される（図１）。後述の実施例２では周囲４辺に沿って四辺形状に離間配列される（図６）。
【考案の効果】
【００１７】
上記手段を講じた頭髪整形補助具は、上方から頭髪内にて、延伸方向に沿う前方または下方へ向かって櫛歯を差し込むことで、複数の櫛歯２１が拡幅部２１２間で頭髪を挟み込んで確実に髪止め機能を果たして装着することができる。また頭部方向への突出部を形成することなく装着することができる。これにより固定位置に比較的大きな自由度を持ち、また装着した状態で頭部を傷つけたりする恐れがなく、またさらに装着感が良く、装着後に位置ズレが生じにくい頭髪整形補助具を提供することができた。
【図面の簡単な説明】
【００１８】
【図１】実施例１の頭髪整形補助具の上方斜視図。
【図２】実施例１の頭髪整形補助具の平面図。
【図３】図２のＡ−Ａ線側面視横断面図。
【図４】実施例１の頭髪整形補助具の底面図。
【図５】実施例１の頭髪整形補助具の正面図。
【図６】実施例２の頭髪整形補助具の上方斜視図。
【図７】図６のＢ−Ｂ線側面視端面図。
【図８ａ】本考案の頭髪整形補助具の第一装着方法を示す説明図。
【図８ｂ】本考案の頭髪整形補助具の第一装着方法を示す説明図。
【図８ｃ】本考案の頭髪整形補助具の第一装着状態を示す説明図。
【図９ａ】本考案の頭髪整形補助具の第二装着方法を示す説明図。
【図９ｂ】本考案の頭髪整形補助具の第二装着方法を示す説明図。
【考案を実施するための形態】
【００１９】
本考案の頭髪整形補助具は、少なくとも嵩上げ機能を有する上板１１と、髪止め機能を有する弾性材の櫛歯２１とを具備してなる成型品であって、取り付け位置上部の髪を持ち上げて櫛歯２１を下部の髪内に差し入れることで、上板１１が差し入れた上側の髪束を嵩上げするものである。これにより、差し入れた部分の頭髪を盛り上げて整形することができる。ただし、櫛歯２１は前方または後方への一側方片側にのみ延伸し、反対側方には突出部を有さない。さらに櫛歯２１の延伸は、延伸途中で拡幅部２１２を有する等によって、隣り合う櫛歯２１の各本間の距離が延伸方向で異なるように規定されることが好ましい。以下、本考案の頭髪整形補助具を実施例１、２として示す各図とともに説明する。
【実施例１】
【００２０】
図１〜５に示す本考案の頭髪整形補助具は、
・所定の伸長方向に伸長する上板１１、及び所定の亘り方向に伸びる下板１２から一体的に形成された本体部と、
・下板１２から、その亘り方向に対して直交する片側の一側方にのみ延伸した複数本の櫛歯２１と、
・上板１１の伸長方向全体にわたって上板１１の表面に形成された、頭髪に交絡しうる交絡部３と、を具備して一体成形されたものである。
【００２１】
（本体部）
本体部は上板１１と下板１２のみによって一体的に構成され、上板１１の裏面と下板１２の表面との間に嵩上げ空間１ｈが形成される。少なくとも本体部は縦桟／横桟のないシンプルな２枚の板のみの一体成形品であり、例えば一体成形型によって射出成形された樹脂成形品からなるものとすることが出来る。或いは本体部、櫛歯２１及び交絡部３のすべての構成が一体的に成形されるものとしても良い。
【００２２】
（嵩上げ空間１ｈ）
嵩上げ空間１ｈは上板１１と下板１２の間に形成される部分円柱状ないし弓状の空間であり、この空間内部には、空間内を横切る縦桟／横桟等が形成されていないことが好ましい。縦桟／横桟のないシンプルな２枚の板の一体成形によって、小体積で軽量な本体部を構成することができ、また下板１２の適度な弾性変形を可能としている。本体部は下板１２が頭髪内で頭部に沿って配置固定され、嵩上げ空間１ｈによって嵩上げされた上板１１が頭髪内でその上側の髪束を嵩上げすることで、頭髪の嵩上げ機能を果たす。嵩上げ空間１ｈは他に台形状のもの、多角形状のものとしてもよく、或いはその大きさ、形状が上板１１、下板１２の変形によって可変可能なものとしてもよい。
【００２３】
（上板１１）
上板１１は、上方へ緩やかに湾曲しながら伸長する板体である。その伸長方向は正面視における左右方向であり、上方に突出した部分円弧に沿う方向となっている。
【００２４】
上板１１の板幅１ｗは、伸長方向両端側の板幅１ｗが伸長方向中央側の板幅１ｗよりも小さく形成される（図２、図３）。これによって平面視にて上下辺がそれぞれ上方、下方へ湾曲した横長略四辺形状をなす（図２）。
【００２５】
上板１１の表面は、図３に示すように、各伸長位置において幅方向両側部よりも幅方向中央部が上方へ膨出して形成される。実施例では板幅１ｗに亘って等厚のまま幅方向中央部が両端部よりも上方に突状湾曲する。この突状湾曲の曲率半径は、伸長方向中央位置で最小となり、そこから伸長方向両端に行くにつれて徐々に大きくなり、伸長方向両端では幅方向に突状湾曲しない平板断面となる（図３）。また上板１１の各伸長位置の横断面視において、前記幅方向両側部は表面と側面との角部が面取りされて滑らかに連なる。
【００２６】
上板１１は上記のように平面視および側面方向断面視にて両側部が中央部よりもすぼまって形成され、かつ伸長方向中央にて幅方向中央部がその周囲よりも緩やかに上方へ突出形成されていることで、頭髪内に収まりやすく、装着後に髪束によって覆い隠しやすく、露出しにくいものとなっている。
【００２７】
（下板１２）
下板１２は、上板１１の伸長方向両端付近の裏面同士を、所定の亘り方向に沿って亘ることで上板１１と繋がってなる。実施例では上板１１の最小の板幅１ｗよりも小さく、かつ亘り方向全長へ等幅の、緩湾曲した板体である。下板１２の亘り方向は上板１１よりも小さい曲率で上方に緩湾曲した、頭部に沿う下面形状に沿う方向となっている。
【００２８】
（櫛歯２１）
櫛歯２１は、下板１２の亘り方向と直交する所定の延伸方向に延伸する弾性材の棒体であり、下板１２の下面に固定された各固定部２２から連なって複数本が等間隔に配列し、櫛歯２１の各先端が、下板１２の亘り方向と並行に、上方に緩湾曲しながら並んでいる。
櫛歯２１の所定の延伸方向とは、下板１２の亘り方向に対して片側一側方に延伸弾性材である。各本は、共通する延伸方向位置の途中でそれぞれ拡幅させた拡幅部２１２が形成され、さらに櫛歯２１の拡幅部２１２よりも先側が先尖形状からなる（図１、図２、図４）。具体的には固定部２２で下板１２の一側辺付近から下方へ一体的に伸びると共に他側方側へ湾曲して折れ曲がり、折れ曲がった先が基端部２１１として細い等幅板で構成され、これに連なって先側が拡幅部２１２として両側縁が緩やかに外方湾曲してなる。基端部２１１は下板１２の幅のみとなっている。
【００２９】
固定部２２は断面四半円弧状に湾曲した湾曲板からなり、下板１２の裏面であって櫛歯２１の延伸方向と反対側の側辺に沿って等間隔に配設される。この固定部２２の湾曲板によって、櫛歯２１による髪内への断面視差込角度を容易に調節できるものとしている。例えば図３のように、櫛歯２１の延伸方向が略水平となるように配置する他、この固定部２２の湾曲板外側面を中心として櫛歯２１の延伸方向が斜め上方となるように傾け、櫛歯２１の先端が頭部側と離間するように配置することも出来る。
【００３０】
拡幅部２１２は櫛歯２１の幅を平面視にて拡張させた部分であり、下板２１と連結される基端部２１１に対して２倍程度までに拡幅している。この拡幅部２１２の形成箇所において、隣り合う櫛歯２１間の距離が、他の延伸方向位置よりも小さくなっている。
【００３１】
拡幅部２１２には、櫛歯２１の延伸方向に長い扁平形状の扁平孔２ｈが設けられており、拡幅部２１２にて一旦二又となった後、先側で二又部分がまた合流して先側へ同じ曲率のまま丸まった形状となっている。
【００３２】
上記構成の複数本の櫛歯２１は、持ち上げた髪束の根元部分にある下側の髪内に揃って差し込まれ、隣り合う櫛歯２１の拡幅部２１２同士が近接することで良好な髪止め機能を果たしうる。とくに扁平孔２ｈにより、拡幅部２１２での弾性機能を確保し、髪内へ差し込んだ時の確実な髪止め機能を果たすものとなっている。
【００３３】
（交絡部３）
交絡部３は、上板１１の表面の少なくとも伸長方向に沿って離間配列された、複数本の上方突出部からなる。すべての上方突出部は鉛直上方に伸び、上方に向かって徐々に縮径した部分円錐からなるとともに頂部が曲面整形されており、略山形形状をなしている。側方への返し部や膨出部を有しておらず、上方への差込によって髪がずれないように交絡させるものとなっている。配列方向は、上板１１の前側辺及び後側辺に沿った、平面視にて上方および下方へ緩やかに湾曲した方向となっている。
【００３４】
なお交絡部３の他の形態例として、フック糸が多数形成された交絡面を有した面ファスナーからなるものとすることができる。このフック糸は例えば、基端から上方に伸びると共に先端が湾曲して下方を向いたもの、或いは、ループ糸の一部を切断して開口させたもの、として、フック糸の湾曲部分／ループ部分が頭髪に交絡するものとなる（図示せず）。
【実施例２】
【００３５】
図６〜図９ｂに示す本考案の実施例２の頭髪整形補助具は、実施例１に対して上板１１の前後側部の形状、櫛歯２１の形状、並びに交絡部３の形状及び配列のみが異なり、他の形態および使用方法は実施例１と同様である。
【００３６】
実施例２の上板１１の前後側部は図７に示すように略半円状の断面側縁形状となっており、上下面と区切られた明確な稜線あるいは平面状の側面を有していない。これにより髪内への収まりがよく、装着後に成形した上側の髪になじんで露出し難いものとなっている。
【００３７】
また実施例２の櫛歯２１は実施例１のような湾曲した固定部を有さず、直棒の板体からなる基端部２１１がその側面にて直接、下板１２に固着されており、基端部２１１の先に楕円外形の拡幅部２１２が連ねられ、さらに拡幅部２１２の先に、先端が先細り形状となった先尖部２１３が連ねられる。先尖部２１３は基端部２１１と略同幅の直棒板体であって、先端の両側面が幅方向内側に湾曲することで鋭利な先細り形状となっている。実施例１のような高さ方向の固定部２１１を有していないため、櫛歯２１の下面全体が頭部形状に沿いやすく、より安定した髪止め定着状態を可能としている。
【００３８】
また実施例２の交絡部３は、鉛直上方に突出した複数の略円柱体からなり、円柱体の頂部が半球状に成形されている。そして交絡部３の配列方向は、上板１１の周囲４辺に沿った、平面視にて上下辺それぞれが上方および下方へ緩やかに湾曲すると共に両側辺が上下辺の両端それぞれで縦に連なった方向となっている。
【００３９】
（使用方法例）
本考案の頭髪整形補助具は、取り付け位置の上部にある上側の髪を束状に持ち上げて櫛歯２１をその根元付近の髪内に差し入れることで、嵩上げ空間１ｈを開けて上部配置された上板１１が、差し入れた箇所よりも上側の髪束を嵩上げするものである。この上側の髪束を上板１１の表面に被せて交絡部３に交絡させることで、差し入れた部分の頭髪を盛り上げて整形することができる。具体的には、頭髪の量や頭髪の成形形状・成形方法によって、次述の第一、第二の使用方法のいずれの使用方法も可能となっている。
【００４０】
第一の使用方法としては、図８ａ、図８ｂ、図８ｃに示すように、持ち上げた上側の髪束の根元から当該髪束へ向かって櫛歯２１を差し込み、前方へ髪止めして本体部を頭上に定着させる。その後上髪を下方へ降ろして上板１１を含む本体部を隠す。装着後は図８ｃに示すように本体部が頭上に載った状態となる。
【００４１】
第二の使用方法としては、図９ａ、図９ｂに示すように、持ち上げた上側の髪束の根元付近から、当該髪束の下方あるいは後方にある髪内へ向かって櫛歯２１を差し込み、下方あるいは後方へ髪止めして本体部を髪内に定着させる。その後上髪を下方へ降ろして上板を含む本体部を隠す。装着後は本体部が頭頂部あるいは後頭部に斜めにまたは縦に定着した状態となる。これにより、上板（１１）の表面側に絡んだ前記上部の髪が上方へ嵩上げして整形される。またこのとき、一側方側へ突出した複数の櫛歯（２１）が髪内に揃って差し込まれ、隣り合う櫛歯（２１）の拡幅部(２１２)同士が近接することで髪止め機能を果たす。
【００４２】
実施例１，２の頭髪成形補助具は、前記第一の使用方法に加えて上記第二の使用方法を可能とした点に特徴がある。すなわち本考案は、櫛歯２１の差込み方向を上板１１の伸長方向に対して直交する片側方のみに限定している。また櫛歯２１は、延伸方向への差込固定状態において、各本間の弾性反力による強固な髪止め機能を果たしている。また本体部を上板１１と下板１２のみからなるシンプルな構成としたことで軽量化や小容積化を果たしている。さらに上板１１の幅方向中央部の膨出と伸長方向中央部の太幅化によって効率的な嵩上げ機能を有しながら装着後に露出し難い形状となっている。これら作用によって、装着位置を例えば第一の使用方法のような使用者の頭頂部に限らず、第二の使用方法のような後頭部寄り、或いは側頭部寄りといった自由な装着位置とすることが可能となった。また本体部は軽量かつ小型に形成することで、いずれの装着位置でも良好な装着感を維持することが可能となっている。
【００４３】
本考案は上述の実施例に限定されず、本考案の趣旨を逸脱しない範囲で種々の変形、要素抽出、構成の省略、或いは構成の置換、或いは実施例間での組み合わせの変更、その他材質、形態、大きさ、比率の変更が可能である。例えば上板１１、下板１２それぞれは湾曲形状ではなく、幅方向に伸びるひとつ以上の折曲部を境に折曲げられた折曲板であってもよいし、折曲部を一部に有していても良い。またそれぞれの平面視形状は、湾曲辺を有さずに略多角形からなるものでもよく、部分的に多角辺を有していても良い。また各構成はすべての角部に面取りが施されず、一部の角部が交直線縁で形成されていても良い。さらに上板１１、下板１２を含む各構成材は一部が高剛性の硬質材からなるものでもよく、一部又は全部が中硬質合成樹脂或いは発泡性樹脂といった塑性或いは弾性変形可能な材質からなるものとしてもよい。
【符号の説明】
【００４４】
１１  上板
１２  下板
１ｈ  嵩上げ空間
１ｗ  板幅
２１  櫛歯
２１１  基端部
２１２  拡幅部
２１３  先尖部
２２  固定部
２ｈ  扁平孔
３  交絡部
【図１】
0003157983.tif 000003
【図２】
0003157983.tif 000004
【図３】
0003157983.tif 000005
【図４】
0003157983.tif 000006
【図５】
0003157983.tif 000007
【図６】
0003157983.tif 000008
【図７】
0003157983.tif 000009
【図８ａ】
0003157983.tif 000010
【図８ｂ】
0003157983.tif 000011
【図８ｃ】
0003157983.tif 000012
【図９ａ】
0003157983.tif 000013
【図９ｂ】
0003157983.tif 000014
【手続補正書】
【提出日】平成21年12月29日(2009.12.29)
【手続補正１】
【補正対象書類名】実用新案登録請求の範囲
【補正対象項目名】全文
【補正方法】変更
【補正の内容】
【実用新案登録請求の範囲】
【請求項１】
上方に折曲または弯曲しながら伸長する上板（１１）と、この上板（１１）の伸長方向両端付近の裏面同士を亘る下板（１２）と、この下板（１２）から下板（１２）の亘り方向に対して共通する片側の一側方にのみ延伸した複数本の櫛歯（２１）と、前記上板（１１）の表面に伸長方向全体にわたって形成された、頭髪に交絡しうる交絡部（３）と、を具備してなり、
櫛歯（２１）は、等間隔に配列した弾性材で構成されるとともに、共通する所定の延伸方向位置で拡幅させた拡幅部(２１２)が形成され、櫛歯（２１）が前記一側方に沿って髪内に揃って差し込まれ、隣り合う櫛歯（２１）の拡幅部(２１２)同士が近接することで髪止め機能を果たしうることを特徴とする頭髪整形補助具。
【請求項２】
上板（１１）の表面は、各伸長位置において幅方向両側部よりも幅方向中央部が上方へ膨出して形成された請求項１記載の頭髪整形補助具。
【請求項３】
上板（１１）は、伸長方向両端側の板幅（１ｗ）が伸長方向中央側の板幅（１ｗ）よりも小さく形成された請求項１または２に記載の頭髪整形補助具。
【請求項４】
拡幅部（２１２）には、櫛歯（２１）の延伸方向に長い扁平形状の扁平孔（２ｈ）が設けられた請求項１、２または３に記載の頭髪整形補助具。
【請求項５】
交絡部（３）は、上板（１１）の表面の少なくとも周囲に沿って離間配列された、複数本の上方突出部からなる請求項１〜４のいずれか１項に記載の頭髪整形補助具。